【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
再充電可能なバッテリー（２１０）であって、
下側固定板（２４０）を含む筐体（２２０）、及び
前記下側固定板（２４０）上の複数のバッテリーセル（１１０）を備え、
前記下側固定板（２４０）は、前記バッテリーセル（１１０）から凝縮液を収集し、かつ前記バッテリーセル（１１０）から離れるように前記収集された凝縮液を移動するために位置決めされた少なくとも１つの流路（４３０、４４０、４５０、４６０）を含む、バッテリー（２１０）。
【請求項２】
前記少なくとも１つの流路（４３０、４４０、４５０、４６０）は、前記収集された凝縮液を前記筐体（２２０）から排出するように配置される、請求項１に記載のバッテリー。
【請求項３】
前記下側固定板（２４０）は基板（４１０）を更に含み、前記少なくとも１つの流路は前記基板（４１０）内の排出孔（４３０、４４０、４５０）を含み、各々の排出孔（４３０、４４０、４５０）は少なくとも２つのバッテリーセル（１１０）の部分の下に配置される、請求項１または２に記載のバッテリー。
【請求項４】
前記下側固定板（２４０）は、前記基板（４１０）の周縁部において付加的な排出孔（４４０、４５０）を含む、請求項３に記載のバッテリー。
【請求項５】
前記少なくとも１つの流路は前記基板（４１０）内の溝（４６０）を更に含み、前記溝（４６０）は前記排出孔（４３０、４４０、４５０）間で延伸する、請求項３または４に記載のバッテリー。
【請求項６】
前記溝（４６０）は、前記収集された凝縮液が前記排出孔（４３０、４４０、４５０）へ流れるように傾斜している、請求項５に記載のバッテリー。
【請求項７】
前記バッテリーセル（１１０）は、角柱状であり、かつグリッド状に配置され、各々の排出孔（４３０、４４０、４５０）は、４つの隣接するバッテリーセル（１１０）の角部の下に配置される、請求項３から６のいずれか一項に記載のバッテリー。
【請求項８】
前記下側固定板（２４０）は、前記基板上のセルの仕切り（４２０）の格子を更に含み、前記バッテリーセル（１１０）は前記セルの仕切り（４２０）の間に配置され、前記少なくとも１つの流路は前記基板（４１０）内の溝（４６０）を更に含み、前記溝（４６０）は前記セルの仕切り（４２０）に沿って前記排出孔（４３０、４４０、４５０）間で延伸する、請求項３から７のいずれか一項に記載のバッテリー。
【請求項９】
各々のバッテリーセル（１１０）はポリイミドの薄膜で包まれる、請求項１から８のいずれか一項に記載のバッテリー。
【請求項１０】
各々のバッテリーセル（１１０）の側部は破裂板（１５０）を含み、前記筐体（２２０）は切欠き（３１０）を有する枠（２３０）を更に含み、前記バッテリーセル（１１０）は前記破裂板（１５０）が前記枠の切欠き（３１０）と合致するように向きを合わせられる、請求項１から９のいずれか一項に記載のバッテリー。
【請求項１１】
前記バッテリーセル（１１０）の対向する面の間の絶縁性の隔離体（６１０）を更に備え、前記絶縁性の隔離体（６１０）は繊維複合体から作られる、請求項１から１０のいずれか一項に記載のバッテリー。
【請求項１２】
前記バッテリーセル（１１０）はリチウムイオン電池であり、前記バッテリー（２１０）は乗用輸送体のために構成される、請求項１から１１のいずれか一項に記載のバッテリー。
【請求項１３】
空洞（７３０）を画定する壁（７２０）を有する金属製のバッテリーの囲い（７１０）と、前記筐体（２２０）から排出された凝縮液が前記バッテリー（２１０）の下の前記空洞（７３０）の一部分に蓄積されるように前記空洞（７３０）内に設置され、かつ前記壁（７２０）から間隔を空けられた請求項１から１２のいずれか一項のバッテリーとを備える、バッテリーシステム。
【請求項１４】
前記囲いは、非導電性材料から作られた、前記バッテリー（２１０）を対向する前記空洞（７３０）の壁（７２０）に設置するためのスライドレール（７４０）を含む、請求項１３に記載のバッテリーシステム。
【手続補正２】
【補正対象書類名】明細書
【補正対象項目名】０００７
【補正方法】変更
【補正の内容】
【０００７】
一実施形態において、少なくとも１つの流路は、収集された凝縮液を筐体から排出するように配置される。
【手続補正３】
【補正対象書類名】明細書
【補正対象項目名】０００８
【補正方法】変更
【補正の内容】
【０００８】
一実施形態において、下側固定板は基板を更に含み、かつここで、少なくとも１つの流路は基板内の排水孔を含み、各々の排水孔は少なくとも２つの電池の部分の下に配置される。
【手続補正４】
【補正対象書類名】明細書
【補正対象項目名】０００９
【補正方法】変更
【補正の内容】
【０００９】
一実施形態において、下側固定板は、基板の周縁部において付加的な排水孔を含む。
【手続補正５】
【補正対象書類名】明細書
【補正対象項目名】００１０
【補正方法】変更
【補正の内容】
【００１０】
一実施形態において、少なくとも１つの流路は基板内の溝を更に含み、溝は排水孔間で延伸する。
【手続補正６】
【補正対象書類名】明細書
【補正対象項目名】００１１
【補正方法】変更
【補正の内容】
【００１１】
一実施形態において、溝は、収集された凝縮液が排水孔へ流れるように傾斜している。
【手続補正７】
【補正対象書類名】明細書
【補正対象項目名】００１２
【補正方法】変更
【補正の内容】
【００１２】
一実施形態において、電池は、角柱状であり、かつグリッド状に配置される。ここで、各々の排水孔は、４つの隣接する電池の角部の下に配置される。
【手続補正８】
【補正対象書類名】明細書
【補正対象項目名】００１３
【補正方法】変更
【補正の内容】
【００１３】
一実施形態において、下側固定板は、基板上に電池の仕切板の格子を更に含み、電池は電池の仕切板の間に配置される。ここで、少なくとも１つの流路は基板内の溝を更に含み、溝は電池の仕切板に沿って排水孔間で延伸する。
【手続補正９】
【補正対象書類名】明細書
【補正対象項目名】００１４
【補正方法】変更
【補正の内容】
【００１４】
一実施形態において、各々の電池はポリイミドの薄膜で包まれる。
【手続補正１０】
【補正対象書類名】明細書
【補正対象項目名】００１５
【補正方法】変更
【補正の内容】
【００１５】
一実施形態において、各々の電池の側部は破裂板を含む。ここで、筐体は切欠きを有する枠を更に含み、かつ電池はそれらの破裂板が枠の切欠きと合致するように向きを合わせられる。
【手続補正１１】
【補正対象書類名】明細書
【補正対象項目名】００１６
【補正方法】変更
【補正の内容】
【００１６】
一実施形態において、蓄電池は、電池の対向する面の間に絶縁性の隔離版を更に備え、該絶縁性の隔離板は繊維複合体から作られる。
【手続補正１２】
【補正対象書類名】明細書
【補正対象項目名】００１７
【補正方法】変更
【補正の内容】
【００１７】
一実施形態において、電池はリチウムイオン電池であり、かつ蓄電池は乗用輸送体のために構成されている。
【手続補正１３】
【補正対象書類名】明細書
【補正対象項目名】００１９
【補正方法】変更
【補正の内容】
【００１９】
一実施形態において、梱包体は、非導電性材料から作られた蓄電池を対向する空洞の壁に設置するためのスライドレールを含む。
【手続補正１４】
【補正対象書類名】明細書
【補正対象項目名】００２１
【補正方法】変更
【補正の内容】
【００２１】
一実施形態において、下側固定板は、基板上に電池の仕切板の格子を更に含み、電池は電池の仕切板の間に配置される。ここで、下側固定板は、電池の仕切板に沿って、排水孔間で延伸する溝を更に含む。
【手続補正１５】
【補正対象書類名】明細書
【補正対象項目名】００２２
【補正方法】変更
【補正の内容】
【００２２】
一実施形態において、各々の電池はポリイミドの薄膜で包まれる。
【手続補正１６】
【補正対象書類名】明細書
【補正対象項目名】００２４
【補正方法】変更
【補正の内容】
【００２４】
一実施形態において、下側固定板は、基板及び基板上に電池の仕切板の格子を含み、電池は電池の仕切板の間に配置される。ここで、下側固定板は、仕切板に沿って、排水孔間で延伸する溝を更に含む。
【手続補正１７】
【補正対象書類名】明細書
【補正対象項目名】００２５
【補正方法】変更
【補正の内容】
【００２５】
一実施形態において、各々の電池の側部は破裂板を含む。ここで、筐体は切欠きを有する枠を更に含み、かつ電池は、任意の電池から排出された材料が蓄電池と壁との間の空間に入るように、それらの破裂板が枠の切欠きと合致するように向きを合わせられる。
【手続補正１８】
【補正対象書類名】明細書
【補正対象項目名】００４８
【補正方法】変更
【補正の内容】
【００４８】
空洞７３０の容積は、蓄電池２１０の容積よりも大きい。壁７２０から蓄電池２１０への間隔は、筐体から排出された凝縮液が、蓄電池２１０の下の空洞７３０の一部分において蓄積されることを可能にする。筐体２２０内の通気孔を通って排出された材料は、蓄電池２１０と壁７２０との間の空間において蓄積される。
さらに、本開示は、次の条項に係る実施形態を含む。
（条項１）
再充電可能なバッテリー（２１０）であって、
下側固定板（２４０）を含む筐体（２２０）、及び
前記下側固定板（２４０）上の複数のバッテリーセル（１１０）を備え、
前記下側固定板（２４０）は、前記バッテリーセル（１１０）から凝縮液を収集し、かつ前記バッテリーセル（１１０）から離れるように前記収集された凝縮液を移動するために位置決めされた少なくとも１つの流路（４３０、４４０、４５０、４６０）を含む、バッテリー（２１０）。
（条項２）
前記少なくとも１つの流路（４３０、４４０、４５０、４６０）は、前記収集された凝縮液を前記筐体（２２０）から排出するように配置される、条項１に記載のバッテリー。
（条項３）
前記下側固定板（２４０）は基板（４１０）を更に含み、前記少なくとも１つの流路は前記基板（４１０）内の排出孔（４３０、４４０、４５０）を含み、各々の排出孔（４３０、４４０、４５０）は少なくとも２つのバッテリーセル（１１０）の部分の下に配置される、条項１または２に記載のバッテリー。
（条項４）
前記下側固定板（２４０）は、前記基板（４１０）の周縁部において付加的な排出孔（４４０、４５０）を含む、条項３に記載のバッテリー。
（条項５）
前記少なくとも１つの流路は前記基板（４１０）内の溝（４６０）を更に含み、前記溝（４６０）は前記排出孔（４３０、４４０、４５０）間で延伸する、条項３または４に記載のバッテリー。
（条項６）
前記溝（４６０）は、前記収集された凝縮液が前記排出孔（４３０、４４０、４５０）へ流れるように傾斜している、条項５に記載のバッテリー。
（条項７）
前記バッテリーセル（１１０）は、角柱状であり、かつグリッド状に配置され、各々の排出孔（４３０、４４０、４５０）は、４つの隣接するバッテリーセル（１１０）の角部の下に配置される、条項３から６のいずれか一項に記載のバッテリー。
（条項８）
前記下側固定板（２４０）は、前記基板上のセルの仕切り（４２０）の格子を更に含み、前記バッテリーセル（１１０）は前記セルの仕切り（４２０）の間に配置され、前記少なくとも１つの流路は前記基板（４１０）内の溝（４６０）を更に含み、前記溝（４６０）は前記セルの仕切り（４２０）に沿って前記排出孔（４３０、４４０、４５０）間で延伸する、条項３から７のいずれか一項に記載のバッテリー。
（条項９）
各々のバッテリーセル（１１０）はポリイミドの薄膜で包まれる、条項１から８のいずれか一項に記載のバッテリー。
（条項１０）
各々のバッテリーセル（１１０）の側部は破裂板（１５０）を含み、前記筐体（２２０）は切欠き（３１０）を有する枠（２３０）を更に含み、前記バッテリーセル（１１０）は前記破裂板（１５０）が前記枠の切欠き（３１０）と合致するように向きを合わせられる、条項１から９のいずれか一項に記載のバッテリー。
（条項１１）
前記バッテリーセル（１１０）の対向する面の間の絶縁性の隔離体（６１０）を更に備え、前記絶縁性の隔離体（６１０）は繊維複合体から作られる、条項１から１０のいずれか一項に記載のバッテリー。
（条項１２）
前記バッテリーセル（１１０）はリチウムイオン電池であり、前記バッテリー（２１０）は乗用輸送体のために構成される、条項１から１１のいずれか一項に記載のバッテリー。
（条項１３）
空洞（７３０）を画定する壁（７２０）を有する金属製のバッテリーの囲い（７１０）と、前記筐体（２２０）から排出された凝縮液が前記バッテリー（２１０）の下の前記空洞（７３０）の一部分に蓄積されるように前記空洞（７３０）内に設置され、かつ前記壁（７２０）から間隔を空けられた条項１から１２のいずれか一項のバッテリーとを備える、バッテリーシステム。
（条項１４）
前記囲いは、非導電性材料から作られた、前記バッテリー（２１０）を対向する前記空洞（７３０）の壁（７２０）に設置するためのスライドレール（７４０）を含む、条項１３に記載のバッテリーシステム。
（条項１５）
破裂板（１５０）を有する角柱状の再充電可能なバッテリーセル（１１０）の配列と、
通気孔（３１０）を有する枠（２３０）、及び前記枠（２３０）上の下側固定板（２４０）を含む筐体（２２０）とを備えるバッテリーであって、前記バッテリーセル（１１０）は、前記下側固定板（２４０）上に配置され、かつ前記破裂板（１５０）が前記通気孔（３１０）と合致するように向きを合わせられ、前記下側固定板（２４０）は複数の排出孔（４３０、４４０、４５０）を有し、各々の排出孔（４３０、４４０）は前記バッテリーセル（１１０）の少なくとも２つの角部の下に配置される、バッテリー。
（条項１６）
前記下側固定板（２４０）は、基板（４１０）上のセルの仕切り（４２０）の格子を更に含み、前記バッテリーセル（１１０）は前記セルの仕切り（４２０）の間に配置され、前記下側固定板（２４０）は、前記セルの仕切り（４２０）に沿って、排出孔（４３０、４４０、４５０）間で延伸する溝（４６０）を更に含む、条項１５に記載のバッテリー。
（条項１７）
各々のバッテリーセル（１１０）はポリイミドの薄膜で包まれる、条項１５また１６に記載のバッテリー。
（条項１８）
空洞（７３０）を画定する壁（７２０）を有するバッテリーの囲い（７１０）と、
前記空洞（７３０）内に設置され、かつ前記壁（７２０）から間隔を空けられたバッテリー（２１０）であって、複数の再充電可能なバッテリーセル（１１０）、及び前記バッテリーセル（１１０）のための筐体（２２０）を含む、バッテリー（２１０）と、を備えるバッテリーシステムであって、前記筐体（２２０）は、前記バッテリーセル（１１０）を支持するための下側固定板（２４０）であって、凝縮液を前記バッテリー（２１０）の下の前記空洞（７３０）の一部分の中へ排出するための排出孔（４３０、４４０、４５０）を有する、下側固定板（２４０）を含む、バッテリーシステム。
（条項１９）
前記下側固定板（２４０）は、基板（４１０）、及び前記基板（４１０）上のセルの仕切り（４２０）の格子を含み、前記バッテリーセル（１１０）は前記セルの仕切り（４２０）の間に配置され、前記下側固定板（２４０）は、前記仕切板に沿って、排出孔（４３０、４４０、４５０）間で延伸する溝（４６０）を更に含む、条項１８に記載のバッテリーシステム。
（条項２０）
各々のバッテリーセル（１１０）の側部は破裂板（１５０）を含み、前記筐体（２２０）は切欠き（３１０）を有する枠（２３０）を更に含み、前記バッテリーセル（１１０）は、任意のバッテリーセル（１１０）から排出された材料が前記バッテリー（２１０）と前記壁（７２０）との間の空間に入るように、前記破裂板（１５０）が前記枠の切欠き（３１０）と合致するように向きを合わせられる、条項１８または１９に記載のバッテリーシステム。